(57)【特許請求の範囲】
【請求項１】
所定方向に略等間隔で複数の溝（４）が形成された下地材（２）と、凹入部（６ａ）が前記溝（４）に嵌合配置され両側部が前記下地材（２）に固定されたガター（６）と、該ガター（６）の凹入部（６ａ）の上から前記溝（４）に嵌入配置される凹入部（１０ａ）と該凹入部（１０ａ）の中央に形成された立ち上り部（１０ｂ）と該立ち上り部（１０ｂ）の頂部に該立ち上り部（１０ｂ）との間でＴ字状を形成するように形成された係止部（１０ｃ）とを有し両側部が前記溝（４）の両側の下地材（２）に固定された吊子（１０）と、長尺帯状の本体（１４ａ）を有し該本体（１４ａ）の一側部を下面側に折り曲げて横Ｕ字状部（１４ｂ）を形成し前記本体（１４ａ）の他側部を上面側に折り曲げて横Ｕ字状部（１４ｃ）を形成した金属板製の複数の外囲板（１４）とを備え、前記外囲板（１４）のうち１つの外囲板（１４）の一側の、上面側に折り曲げた横Ｕ字状部（１４ｃ）を前記吊子（１０）の係止部（１０ｃ）の片側の下側に配置し、この外囲板（１４）に隣接して他の外囲板（１４）を前記下地材（２）上に配置し、該他の外囲板（１４）の他側の下面側に折り曲げた横Ｕ字状部（１４ｂ）を、前記吊子（１０）の係止部（１０ｃ）の片側に、該係止部（１０ｃ）の下側に配置された隣接する外囲板（１４）の一側の横Ｕ字状部（１４ｃ）の折り返し部とともに嵌合し、前記吊子（１０）の係止部（１０ｃ）の片側に一対の外囲板（１４）（１４）を結合するようにしたことを特徴とする屋根などに用いられる外囲体。
【発明の詳細な説明】
【０００１】
【発明の属する技術分野】
本発明は、屋根や壁などに用いられる外囲体に関する。
【０００２】
【従来の技術】
此種の外囲体は種々のものが実施化されているが、一般的には、下地材の溝にガターを配置し、このガター上で一対の外囲板を吊子を介して結合する構成と成っている。
【０００３】
【発明が解決しようとする課題】
従来の外囲体は、外囲板の接合を一方向しか行なうことができなかった。そのため、円形の屋根などを葺くとき、例えば右方向から葺くときは、同時に左方向から葺くことができず、作業能率が低くなってしまうという問題点が存した。
本発明は上記問題点を解決することを目的とするものである。
【０００４】
【課題を解決するための手段】
上記目的を達成するため、本発明は、所定方向に略等間隔で複数の溝４が形成された下地材２と、凹入部６ａが前記溝４に嵌合配置され両側部が前記下地材２に固定されたガター６と、該ガター６の凹入部６ａの上から前記溝４に嵌入配置される凹入部１０ａと該凹入部１０ａの中央に形成された立ち上り部１０ｂと該立ち上り部１０ｂの頂部に該立ち上り部１０ｂとの間でＴ字状を形成するように形成された係止部１０ｃとを有し両側部が前記溝４の両側の下地材２に固定された吊子１０と、長尺帯状の本体１４ａを有し該本体１４ａの一側部を下面側に折り曲げて横Ｕ字状部１４ｂを形成し前記本体１４ａの他側部を上面側に折り曲げて横Ｕ字状部１４ｃを形成した金属板製の複数の外囲板１４とを備え、前記外囲板１４のうち１つの外囲板１４の一側の、上面側に折り曲げた横Ｕ字状部１４ｃを前記吊子１０の係止部１０ｃの片側の下側に配置し、この外囲板１４に隣接して他の外囲板１４を前記下地材２上に配置し、該他の外囲板１４の他側の下面側に折り曲げた横Ｕ字状部１４ｂを、前記吊子１０の係止部１０ｃの片側に、該係止部１０ｃの下側に配置された隣接する外囲板１４の一側の横Ｕ字状部１４ｃの折り返し部とともに嵌合し、前記吊子１０の係止部１０ｃの片側に一対の外囲板１４，１４を結合するようにしたものである。
【０００５】
【発明の実施の形態】
以下に本発明の構成を、添付した図面に示す発明の実施の形態を参照して詳細に説明する。
２は屋根の下地材であり、合板により構成されている。下地材２には建物の棟（頂部）から軒に向かって溝４が複数並列状に形成されている。前記各溝４にはそれらの全長にわって長尺状の鋼板などから成るガター６の凹入部が、下地材６上に敷設された防水シート（図示省略）の上から嵌合配置され、該ガター６の左右の水平部はビス８によって下地材２に固着されている。
【０００６】
前記各ガター６内には短尺状の鋼板などから成る吊子１０が配置され、該吊子１０の左右の水平部は、ビス１２によって前記ガター６の水平部の上から下地材２に固着されている。前記吊子１０は凹入部１０ａを有し、該凹入部１０ａがガター６の凹入部６ａに嵌合配置されている。吊子１０の底部の中央には溝４の深さと略同一の高さの立ち上り部１０ｂが立設され、この立ち上り部１０ｂの頂部には水平方向に左右に延びる係止部１０ｃが形成されている。
【０００７】
１４は長尺帯状の鋼板などから成る屋根板などの外囲板であり、一側部に外囲板本体１４ａの下面側に折り曲げた横Ｕ字状部１４ａが形成され、他側部に外囲板本体１４ａの上面側に折り曲げた横Ｕ字状部１４ｃが形成されている。前記外囲板１４は、同一形状のものが複数用意されている。説明の便宜上、図１中、吊子１０の右側に配置された外囲板１４をＧＲ、左側の外囲板１４をＧＬと称する。屋根を右から左へ葺く場合には、図１に示すように、外囲板ＧＲの本体１４ａを、吊子１０の右側の下地材２上に配置し、外囲板ＧＲの左側の横Ｕ字状部１４ｃを吊子１０の係止部１０ｃの右側の下に配置する。
【０００８】
次に、他の外囲板ＧＬの本体１４ａを、吊子１０の左側の下地材２上に配置し、その右側の横Ｕ字状部１４ｂを、吊子１０の係止部１０ｃの上から、右隣の外囲板ＧＲの、横Ｕ字状部１４ｃに差し込む。これにより、一方の外囲板ＧＲの左側と他方の外囲板ＧＬの右側は、吊子１０の係止部１０ｃに係合し、両者は互いに結合する。
【０００９】
次に他方の外囲板ＧＬの左側の横Ｕ字状部１４ｃを、左隣の吊子（図示省略）の係止部の下に配置する。次に、他方の外囲板ＧＬの左側に、他の外囲板を配置し、上記した手順で、この外囲板の右側を他方の屋根板ＧＬの左側に係合する。このようにして、順次外囲板を、右から左に葺いてゆくことができる。
【００１０】
屋根を左から右に葺く場合には、図２に示すように、外囲板ＧＬの本体１４ａを、逆向きとし、該状態で吊子１０の左側の下地材２上に配置し、外囲板ＧＬの右側の横Ｕ字状部１４ｃを吊子１０の係止部１０の左側の下に配置する。次に、他の外囲板ＧＲ（図１とは逆向きとなっている）の本体１４ａを、吊子１０の右側の下地材２上に配置し、その左側の横Ｕ字状部１４ｂを、吊子１０の係止部１０ｃの上から、左隣の外囲板ＧＬの、横Ｕ字状部１４ｃに差し込む。
【００１１】
これにより、一方の外囲板ＧＬの右側と他方の外囲板ＧＲの左側は、吊子１０の係止部１０ｃに係合し、両者は互いに結合する。
次に他方の外囲板ＧＲの右側の横Ｕ字状部１４ｃを、右隣の吊子の係止部の下に配置する。次に、他方の外囲板ＧＲの右側に、他の外囲板を配置し、上記した手順で、この外囲板の左側を他方の外囲板ＧＲの右側に係合する。このようにして、順次外囲板を、左から右に葺いてゆくことができる。
【００１２】
【発明の効果】
本発明は上述の如く構成したので、左右どちらからでも外囲板を葺くことができ、しかも部品点数が少ないのでコストを下げることができる等の効果が存する。
【図面の簡単な説明】
【図１】本発明の断面図である。
【図２】本発明の他の実施形態を示す断面図である。
【図３】外囲板の外観図である。
【符号の説明】
２      下地材
４      溝
６      ガター
６ａ    凹入部
８      ビス
１０    吊子
１０ａ  凹入部
１０ｂ  立ち上り部
１２    ビス
１４    外囲板
１４ａ  本体
【図１】
0003658741.tif 000002
【図２】
0003658741.tif 000003
【図３】
0003658741.tif 000004